(57)【要約】【課題】生体情報測定装置で測定された各病床の患者の生体情報の測定値が異常値の場合における異常値情報を異常値情報表示装置に表示するに際して、患者の容体についての個人情報の保護を図り、且つ看護師等に対して異常値情報の内容を知らせることができるようにする。【解決手段】異常値情報表示装置５に表示される異常値情報を、患者名を示す患者コード７１と異常値の内容を示す異常内容コード７２とすることにより、この異常値情報表示装置５を、ナースステーションより病室に通ずる廊下等のナースステーション以外に設置しても、患者の容体についての個人情報が漏れる恐れがなく、しかも、当該患者の担当看護師のみでなく、コードの意味を知っている担当以外の看護師や医師がこの異常値情報表示装置を見ることにより、異常が即座に分かり、迅速な対応が可能となる。【選択図】  図１
0003113378.tif 000002
【実用新案登録請求の範囲】
【請求項１】
病床の各患者の心電図、呼吸数、血圧、動脈血酸素飽和度、体温、心拍数等の生体情報をそれぞれ測定する複数の生体情報測定装置と、前記生体情報測定装置によって得られた各患者の各生体情報の測定値が予め定められた所定の範囲に入っていない異常値である場合に、予め患者名と異常値の内容とに割り当てられたコードに基づいて、患者名を示す患者コードと異常値の内容を示す異常内容コードとにコード化した異常値信号を生成すると共に、患者コード信号と異常内容コード信号を表示信号に変換して出力する異常値信号出力装置と、異常値信号出力装置から出力された表示信号に基づいて、患者名を示す患者コードと異常値の内容を示す異常内容コードとで異常値情報を表示する異常値情報表示装置とを備えたことを特徴とする患者監視装置。
【請求項２】
異常値信号出力装置は生体情報集中監視装置と表示信号変換装置とからなり、生体情報集中監視装置は、ナースステーションに備えられて各患者の生体情報が入力されると共に、各患者毎に各生体情報についての異常値を設定することができ且つ患者名と異常値の内容とを識別するコードが割り当てることができるものであって、入力された生体情報の測定値が異常値である場合に、予め患者名と異常値の内容とに割り当てられたコードに基づいて、患者名を示す患者コードと異常値の内容を示す異常内容コードとにコード化した異常値信号を生成して出力するものであり、表示信号変換装置は、生体情報集中監視装置からの異常値信号が入力されると共に、前記患者コード信号と異常内容コード信号を表示信号に変換して異常値情報表示装置に出力するものであることを特徴とする請求項１に記載の患者監視装置。
【請求項３】
異常値情報表示装置は、病室内若しくはナースステーションより病室に通ずる廊下のいずれか又は両方に設置されていることを特徴とする請求項１又は２に記載の患者監視装置。
【請求項４】
異常値情報表示装置は、ナースステーションより病室に通ずる廊下に、その表示部の表示面を通行方向に向けて設置されたことを特徴とする請求項１又は２に記載の患者監視装置。
【考案の詳細な説明】
【技術分野】
【０００１】  本考案は、多数の患者が入院する病院等における入院患者の容体を監視することができる患者監視装置に関するものである。
【背景技術】
【０００２】  多数の患者が入院する病院等においては、少人数の医師や看護師が多くの入院患者の容体を常に監視し、医療にあたっており、特に、集中治療室や手術後に病棟に移された患者の容体は気が抜けず、常に監視する必要がある。【０００３】  従来、かかる多数の患者の容体を監視するものとして、特開２００２−２８１１６７公報に示されるナースコールシステムが提案されている。【０００４】  このナースコールシステムは、病室内の病床毎に、各病床の患者の血圧、体温、脈拍等の生体情報を測定する生体情報測定装置を設置し、この生体情報測定装置にて測定された各病床の患者の生体情報結果や、測定された生体情報結果が異常値の場合における異常値警報情報を、無線通信網に予め融合されているデジタル通信網をなす有線伝送を介して、病室の出入口近傍に設置された廊下灯、ナースステーションに設けられている生体情報集合表示装置、病院内を巡回中の看護婦等が携帯しているハンディナースに対してそれぞれデータ送信するものである。【０００５】  そしてかかる構成により、廊下灯に設けたランプ等の表示部を点滅、点灯させて、病室の出入口近傍に居る看護師や医者等に通報することができるようにすると共に、生体情報集合表示装置およびハンディナースには、表示部に生体情報結果であるデータや波形を表示させ、又異常値警報情報である旨を警報音や警報メッセージで報知させると共に、表示部にて文字で表示させて、ナースステーションに居る看護師およびハンディナースを携帯しながら病院内を巡回中の看護師等に対しても通報することができるようにしたものである。
【特許文献１】  特開２００２−２８１１６７公報
【考案の開示】
【考案が解決しようとする課題】
【０００６】  しかしながら、上記の如きナースコールシステムにおいては、患者の容体についての個人情報の保護に関して見ると、以下のような問題点がある。【０００７】  すなわち、ナースステーションに設けられている生体情報集合表示装置には、全ての患者の生体情報が表示されるものの、限られた室内で且つ一般の患者の入室が規制されているナースステーションにおいては、生体情報集合表示装置から患者の容体についての個人情報が漏れる可能性は低いものと思われる。【０００８】  これに対して、ハンディナースの表示部に生体情報結果であるデータや波形を表示させ、又異常値警報情報である旨を文字で表示させる場合は、ハンディナースは看護師が携帯し、病室等において患者の目に触れる機会も多いことから、患者の容体についての個人情報が漏れる可能性は高い。【０００９】  特に、このハンディナースに異常値警報情報である旨を警報音や警報メッセージで報知する場合は、他の患者にもこの警報音や警報メッセージが聞かれる恐れがあるため、個人情報が漏れる可能性は極めて高くなる。【００１０】  又、廊下灯に設けたランプ等の表示部を点滅や点灯させる場合も、個人情報が漏れる可能性は極めて高い。【００１１】  もっとも、個人情報が漏れるのをできるだけ防ぐために、廊下灯の点滅、点灯や、ハンディナースの警報音のみで異常値警報情報を知らせるようにした場合は、どの患者の、どの生体情報が、どの様に異常であるのか、異常の内容についてまで伝えられないので、異常と言う事実が伝えられても、その異常についての緊急性の程度が分からない難点がある。【００１２】  又ハンディナースを携帯するのは一般的には担当看護師であって、担当看護師には異常を伝えるものの、ハンディナースを携帯しない担当外の看護師や医師に対して異常を伝えるものではなく、加えてハンディナースをポケット等に入れて携帯する場合においては、異常を伝える警報音や警報メッセージ、表示が見過ごされる難点もある。【００１３】  そこで本考案は上記の如き問題点を解決し、患者の個人情報が漏れるのを防止しつつ、患者の異常値情報をその異常内容とともに効果的に伝えることができる患者監視装置を提供せんとするものである。
【課題を解決するための手段】
【００１４】  上記目的を達成するために、本考案は次のような構成としている。
すなわち、本考案に係る患者監視装置は、病床の各患者の心電図、呼吸数、血圧、動脈血酸素飽和度、体温、心拍数等の生体情報をそれぞれ測定する複数の生体情報測定装置と、前記生体情報測定装置によって得られた各患者の各生体情報の測定値が予め定められた所定の範囲に入っていない異常値である場合に、予め患者名と異常値の内容とに割り当てられたコードに基づいて、患者名を示す患者コードと異常値の内容を示す異常内容コードとにコード化した異常値信号を生成すると共に、患者コード信号と異常内容コード信号を表示信号に変換して出力する異常値信号出力装置と、異常値信号出力装置から出力された表示信号に基づいて、患者名を示す患者コードと異常値の内容を示す異常内容コードとで異常値情報を表示する異常値情報表示装置とを備えたことを特徴とするものである。【００１５】  本考案において、前記異常値信号出力装置を生体情報集中監視装置と表示信号変換装置とから構成し、生体情報集中監視装置は、ナースステーションに備えられて各患者の生体情報が入力されると共に、各患者毎に各生体情報についての異常値を設定することができ且つ患者名と異常値の内容とを識別するコードが割り当てることができるものであって、入力された生体情報の測定値が異常値である場合に、予め患者名と異常値の内容とに割り当てられたコードに基づいて、患者名を示す患者コードと異常値の内容を示す異常内容コードとにコード化した異常値信号を生成して出力するものであり、表示信号変換装置は、生体情報集中監視装置からの異常値信号が入力されると共に、前記患者コード信号と異常内容コード信号を表示信号に変換して異常値情報表示装置に出力するものから構成してもよい。【００１６】  又、本考案において、前記異常値情報表示装置は、病室内若しくはナースステーションより病室に通ずる廊下のいずれか又は両方に設置してもよい。【００１７】  さらに又、前記異常値情報表示装置は、ナースステーションより病室に通ずる廊下に、その表示部の表示面を通行方向に向けて設置してもよい。
【考案の効果】
【００１８】  本考案によれば、異常値情報表示装置に表示される異常値情報は、予め患者名と異常値の内容とに割り当てられたコードに基づいてコード化された、患者名を示す患者コードと異常値の内容を示す異常内容コードであるので、このコードの意味を看護師や医師のみに知らせ、それ以外の患者等には知られないようにしておけば、患者の容体についての個人情報が漏れる可能性は低い。【００１９】  従って、この異常値情報表示装置を、病室内や、ナースステーションより病室に通ずる廊下等のナースステーション以外に設置しても、患者の容体についての個人情報が漏れる恐れがなく、しかも、これらナースステーション以外に設置することにより、当該患者の担当看護師のみでなく、コードの意味を知っている担当以外の看護師や医師がこの異常値情報表示装置を見ることにより、異常が即座に分かり、迅速な対応が可能となる。異常値情報表示装置は、１個だけの設置でもよいし、多数個を看護師や医師が行動する場所毎に設置するのが好ましい。【００２０】  尚、異常値情報表示装置をナースステーションより病室に通ずる廊下に設置する場合は、異常値情報表示装置の表示部の表示面を通行方向に向けて設置するようにすれば、廊下の通行時等においても目に付きやすく、又遠くからでも見渡せるので好ましい。
【考案を実施するための最良の形態】
【００２１】  以下本考案を実施するための最良の形態について、図を参照して具体的に説明する。
すなわち、図１は本考案に係る患者監視装置の実施の一形態を示す構成図、図２は本考案に係る異常値情報表示装置にて表示される患者コード及び異常内容コードの一例を示す説明図、図３は本考案に係る患者監視装置の実施の他の形態を示す構成図、図４は本考案に係る異常値情報表示装置の設置例を示す説明図である。【００２２】  図１において、本形態に係る患者監視装置は、生体情報測定装置１と、生体情報集中監視装置２と表示信号変換装置３とからなる異常値信号出力装置４と、異常値情報表示装置５とから構成されるものである。【００２３】  生体情報測定装置１は、病床の各患者の傍にそれぞれ配置されて、各患者の心電図、呼吸数、血圧、動脈血酸素飽和度（ＳＰＯ２）、体温、心拍数等の各生体情報をそれぞれ測定するものである。この生体情報測定装置１は前面に表示部１１を有し、表示部１１に測定した各生体情報の測定値が数値や波形等によって表示され、看護師や医師がこの表示部１１を見ることにより、患者の容体を直接的に把握できるようにもなっている。【００２４】  生体情報集中監視装置２と表示信号変換装置３とからなる異常値情報出力装置４は、一般にはナースステーションに設置されている。生体情報集中監視装置２は、前記複数の生体情報測定装置１から得られる各患者の各生体情報の測定値を一括管理するものであって、生体情報測定装置１の測定値がアンテナ２１から無線通信網６を介して生体情報集中監視装置２に入力されるようになされている。【００２５】  さらに生体情報集中監視装置２は、表示部２２に各患者の各生体情報の測定値を数値や波形等によって、複数画面に分割して表示したり、特定の患者の各生体情報を選択表示することができ、そしてこれらの画面を選択するための画面選択入力手段２３を有し、又各患者毎に各生体情報についての異常値を設定する異常値設定入力手段２４を有し、生体情報測定装置１から入力された生体情報の測定値が異常値である場合に異常値信号を出力するようになされている。【００２６】  異常値の設定は、異常値が患者の容体、体質、性別、年齢等によって異なるため、各患者毎に設定する必要がある。例えば、Ａ患者の最高血圧について、１２０〜１８０を基準値とし、１２０未満の値及び１８０を超える値を異常値に設定した場合、Ａ患者の最高血圧が２００と測定されれば、Ａ患者の生体情報の内の最高血圧の測定値が異常値である旨の異常値信号が生体情報集中監視装置２から出力される。【００２７】  測定値が異常値であるか否かの判別は、上記のように設定された異常値を記憶回路に記憶すると共に、演算回路によりこの設定された異常値と測定値との差を計算し、測定値が異常値をプラス方向に、又はマイナス方向に外れていれば、異常値信号を出力するようにすればよい。これは通常のパソコンの計算ソフトを使用することにより行える。この場合、プラス方向に外れている場合と、マイナス方向に外れている場合とで、異なる異常値信号を出力するようにするのが好ましい。【００２８】  さらにこの生体情報集中監視装置２には、コード入力手段２５が設けられ、このコード入力手段２５によって、予め患者名と異常値の内容とを識別するコードがそれぞれに割り当てることができるようになさ���ており、生体情報集中監視装置２から出力される異常値信号は、この割り当てられたコードに基づいて、患者名を示す患者コードと異常値の内容を示す異常内容コードとにコード化した異常値信号として出力されるようになされている。【００２９】  生体情報集中監視装置２からの異常値信号は接続線２６を介して有線で表示信号変換装置３に入力されると共に、この表示信号変換装置３において、前記患者コード信号と異常内容コード信号は表示信号に変換され、異常値情報表示装置５に出力される。尚、表示信号変換装置３には表示部３１が設けられ、出力される表示信号が表示され、異常値情報表示装置５に表示される内容を確認することができる。【００３０】  異常値情報表示装置５は複数個有し、その複数が前記表示信号変換装置３とローカルエリアネットワーク８で接続されており、表示信号変換装置３から入力された表示信号に基づいて、患者名を示す患者コード７１と異常値の内容を示す異常内容コード７２とで異常値情報をコード７で表示部５１に表示するようになされている。【００３１】  異常値情報表示装置５に表示されるのは、ある患者の測定された生体情報の測定値が、その患者に対して設定された異常値と判断された場合に、その患者の患者コード７１と異常値の内容を示す異常内容コード７２である。従って、全ての患者の生体情報の測定値が正常であって、異常値と判断されない場合は、異常値情報表示装置５の表示部５１には何も表示されない。【００３２】  前記の患者コード７１と異常内容コード７２は、例えば患者名と異常値の内容を６桁の数字で表示する場合の例を図２に示した。図２に示す例では、頭の３桁を患者名を示す患者コード７１とし、後の３桁を異常値の内容を示す異常内容コード７２としており、図２（イ）のようにＡ患者は００１、Ｂ患者は００２、Ｃ患者は００３、・・・と割り当てられ、異常内容コード７２は、心電図についての異常を１００、呼吸数の異常を２００、血圧の異常を３００、動脈血酸素飽和度の異常を４００、体温の異常を５００、心拍数の異常を６００としたものであって、例えば、Ａ患者が血圧の異常の場合は、図２（ロ）のように００１３００と割り当てられて、表示される。【００３３】  尚、上記の例では、異常値情報表示装置５に表示されるのは、一人の患者のみであって、複数の患者が異常値を示している場合を表示する例ではない。かように、複数の患者が異常値を示している場合をも異常値情報表示装置５に表示する場合は、図２（ハ）のようにかかる表示部５１を複数段設けて表示するようにすればよい。【００３４】  なお、コード７は、前記のように数字でもよいし、アルフアベット、記号でもよく、患者からその意味するところが直接的に分からないものが好ましい。又、桁数についても、前記形態では６桁であるが、特に限定するものではなく、患者数や測定する生体情報の数によって適宜桁数を採用すればよい。又数字とアルフアベット等を組み合わせてコード化してもよい。【００３５】  異常値情報表示装置５は、病院内の最も好ましい１カ所にのみ設置されていてもよいが、表示信号変換装置３とローカルエリアネットワーク８で接続することにより、複数カ所に設置することができ、そして複数カ所に��置することにより、異常が発見されやすく、迅速な対応が可能となる。【００３６】  従って、この異常値情報表示装置５を、病室ａ内や、病室ａ出入口、ナースステーションより病室ａに通ずる廊下ｂ等の複数カ所に設置するのが好ましく、又、図４のように、異常値情報表示装置５をナースステーションより病室ａに通ずる廊下ｂに設置する場合は、異常値情報表示装置５の表示部５１の表示面５２を通行方向に向けて設置するようにすれば、廊下ｂの通行時等においても目に付きやすく、又遠くからでも見渡せるので好ましい。【００３７】  前記異常値情報表示装置５は、個人情報の保護が問題にならない場合は、これに音声や光で警報を知らせるスピーカや点滅ライトを付加してもよく、又表示自体を発光させたり、点滅させるようにしてもよい。【００３８】  尚、患者にとって、各生体情報は全て重要ではあるが、その重要度の度合いはおのずと異なっている。例えば、ある患者にとって、血圧の変化よりも心電図の変化が特に重要である場合、心電図の測定値が異常値の場合に、異常値信号出力装置４から緊急異常内容コードを表示するようにしてもよく、又緊急異常内容として、スピーカや点滅ライトを付加してもよい。【００３９】  次に図３に示す形態は、前記の図１の形態においては異常値信号出力装置４が生体情報集中監視装置２と表示信号変換装置３とから構成されていたのに対して、異常値信号出力装置４が単一の制御装置から構成されている点において相違するのみで、その他の点については図１の形態と同様である。【００４０】  すなわち、図３に示す異常値信号出力装置４は、生体情報測定装置１の測定値が無線通信網６を介して入力されるアンテナ４１と、予め患者名と異常値の内容とを識別するコードを割り当てることができるコード入力手段４２と、各患者毎に各生体情報についての異常値を設定することのできる異常値設定入力手段４３と、識別するコードを表示する表示部４４等を有している。【００４１】  そして、生体情報測定装置１によって得られた各患者の各生体情報の測定値がアンテナ４１より入力されると共に、入力された測定値が、異常値設定入力手段４３により設定された異常値である場合に、予めコード入力手段４２により患者名と異常値の内容とに割り当てられたコードに基づいて、患者名を示す患者コードと異常値の内容を示す異常内容コードとにコード化した異常値信号を生成すると共に、この患者コード信号と異常内容コード信号を表示信号に変換して出力する。【００４２】  出力された表示信号は、ローカルエリアネットワーク８を介して、異常値情報表示装置５に入力され、異常値情報表示装置５は、この異常値信号出力装置４からの表示信号に基づいて、患者名を示す患者コード７１と異常値の内容を示す異常内容コード７２とで異常値情報を表示部５１にコード７で表示する。
【産業上の利用分野】
【００４３】  上記のように、本考案に係る異常値情報表示装置に表示される異常値情報は、患者名を示す患者コードと異常値の内容を示す異常内容コードであるので、患者の容体についての個人情報が漏れる可能性は低い。
【００４４】  従って、この異常値情報表示装置を、病室内や、ナースステーションより病室に通ずる廊下等のナースステーション以外に設置しても、患者の容体についての個人情報が漏れる恐れがなく、しかも、当該患者の担当看護師のみでなく、コードの意味を知っている担当以外の看護師や医師がこの異常値情報表示装置を見ることにより、異常が即座に分かり、迅速な対応が可能となることから、多数の患者が入院する病院等における入院患者の容体を監視する患者監視装置として好適に利用することができる。
【図面の簡単な説明】
【００４５】
【図１】  本考案に係る患者監視装置の実施の一形態を示す構成図である。
【図２】  本考案に係る異常値情報表示装置にて表示される患者コード及び異常内容コード並びに表示部の一例を示す説明図である。
【図３】  本考案に係る患者監視装置の実施の他の形態を示す構成図である。
【図４】  本考案に係る異常値情報表示装置の設置例を示す説明図である。
【符号の説明】
【００４６】  １    生体情報測定装置
１１  表示部
２    生体情報集中監視装置
２１  アンテナ
２２  表示部
２３  画面選択入力手段
２４  異常値設定入力手段
２５  コード入力手段
２６  接続線
３    表示信号変換装置
４    異常値信号出力装置
４１  アンテナ
４２  コード入力手段
４３  異常値設定入力手段
４４  表示部
５    異常値情報表示装置
５１  表示部
５２  表示面
６    無線通信網
７    コード
７１  患者コード
７２  異常内容コード
８    ローカルエリアネットワーク
【図１】
0003113378.tif 000003
【図２】
0003113378.tif 000004
【図３】
0003113378.tif 000005
【図４】
0003113378.tif 000006